(57)【要約】【課題】被照射面に近い位置から光照射する場合でも、被照射面の広い範囲を均斉度よく照明できる照明装置を提供する。【解決手段】照明装置10は、光出射部35を有する器具本体20と、器具本体20に配設された発光部および光学制御部とを備える。光学制御部は、光出射部35から出射する発光部の光を制御する。光学制御部は、光出射部35に垂直な光軸ａを中心とした器具幅方向の配光分布を、光軸ａを中心とした両側のそれぞれ５０〜８０°の範囲に光度ピークを有する配光分布に制御する。【選択図】図１
2018055982.tif 000002
【特許請求の範囲】
【請求項１】
光出射部を有する器具本体と；
前記器具本体に配設された発光部と；
前記器具本体に配設され、前記光出射部から出射する前記発光部の光を制御してなり、前記光出射部に垂直な光軸を中心とした器具幅方向の配光分布を、前記光軸を中心とした両側のそれぞれ５０〜８０°の範囲に光度ピークを有する配光分布に制御する光学制御部と；
を具備することを特徴とする照明装置。
【請求項２】
前記光学制御部は、前記光出射部に垂直な前記光軸を中心とした前記器具幅方向に直交する器具縦方向の配光分布を、前記光軸を中心とした片側の０〜３０°の範囲に光度ピークを有する配光分布に制御する
ことを特徴とする請求項１記載の照明装置。
【請求項３】
光出射部を有する器具本体と；
前記器具本体に配設された発光部と；
前記器具本体に配設され、前記光出射部から出射する前記発光部の光を制御してなり、前記光出射部に垂直な光軸を中心とした器具幅方向における被照射面の照度分布を、前記光軸を中心とした中央域に第１照度ピークを有するとともに、この第１照度ピークの両側域に前記第１照度ピークよりも照度値の低い第２照度ピークを有する照度分布に制御する光学制御部と；
を具備することを特徴とする照明装置。
【発明の詳細な説明】
【技術分野】
【０００１】
本発明の実施形態は、被照射面を照明する照明装置に関する。
【背景技術】
【０００２】
従来、被照射面として例えば看板を照明する照明装置は、看板の上側前方または下側前方等に設置され、看板全体を照明するようにしている。
【０００３】
この場合、照明装置が看板に近い位置に設置されると、照明装置に近い看板の領域のみが明るくなり、その領域以外が暗くなりやすい。そのため、看板の広い範囲を均斉度よく照明するためには、照明装置を看板から大きく離した位置に設置しなければならず、照明装置の設置に長い棒状アーム等を用いる必要がある。
【先行技術文献】
【特許文献】
【０００４】
【特許文献１】特開２０１４−９３１２９号公報
【発明の概要】
【発明が解決しようとする課題】
【０００５】
本発明が解決しようとする課題は、被照射面に近い位置から光照射する場合でも、被照射面の広い範囲を均斉度よく照明できる照明装置を提供することである。
【課題を解決するための手段】
【０００６】
実施形態の照明装置は、光出射部を有する器具本体と、器具本体に配設された発光部および光学制御部とを備える。光学制御部は、光出射部から出射する発光部の光を制御する。光学制御部は、光出射部に垂直な光軸を中心とした器具幅方向の配光分布を、光軸を中心とした両側のそれぞれ５０〜８０°の範囲に光度ピークを有する配光分布に制御する。
【発明の効果】
【０００７】
本発明によれば、被照射面に近い位置から光照射する場合でも、被照射面の広い範囲を均斉度よく照明することが期待できる。
【図面の簡単な説明】
【０００８】
【図１】一実施形態を示す照明装置の使用状態の側面図である。
【図２】同上照明装置の使用状態の正面図である。
【図３】同上照明装置の器具幅方向の配光図である。
【図４】同上照明装置の器具縦方向の配光図である。
【図５】同上照明装置から光が照射された被照射面の照度分布図である。
【図６】同上照明装置の器具幅方向における被照射面の照度分布図である。
【図７】同上照明装置の器具縦方向における被照射面の照度分布図である。
【図８】同上照明装置の断面図である。
【図９】同上照明装置の正面図である。
【発明を実施するための形態】
【０００９】
以下、一実施形態を、図１ないし図９を参照して説明する。
【００１０】
図１および図２に示すように、照明装置10は、被照射面11としての例えば看板12（看板面12a）を照明する。照明装置10は、看板12の上側（または下側）に設置されるとともに、看板12の大きさに応じて看板12の横方向に１台または複数台設置される。看板12は、例えば金属フレーム等で構成される看板本体を有し、この看板本体の前面に広告シート等を貼り付ける看板面12aが設けられている。
【００１１】
照明装置10は、一般的に棒状アーム等により看板12の前面から大きく離れた位置に設置される場合に比べて、看板12に近い位置に設置して使用することが可能で、看板本体に直接設置される。
【００１２】
そして、図８および図９に示すように、照明装置10は、器具本体20、この器具本体20に配設される複数の発光部21、これら発光部21からの光の配光を制御する光学制御部22、発光部21に給電する電源部23、および器具本体20を支持する取付アーム24を備えている。
【００１３】
器具本体20は、本体部27、およびこの本体部27の前面に環状のパッキング28を介して取り付けられる前面枠29を備えている。器具本体20は、前面から見て、器具幅方向ｗの長さがこの器具幅方向ｗに直交する器具縦方向ｈの長さよりも長い横長に形成されている。
【００１４】
本体部27は、発光部21を配設する配設部30、電源部23を収容する電源収容部31、および配設部30の背面側に突設された複数の放熱フィン32を備えている。前面枠29には、配設部30に対向して横長の照射開口33が形成されている。
【００１５】
前面枠29の照射開口33はパッキング28を介して配設される透明な前面カバー34で覆われている。そして、前面カバー34の前面側が、器具本体20から光を出射する光出射部（光出射面）35として構成されている。
【００１６】
また、発光部21は、例えばＬＥＤ等の発光素子38を備えている。そして、複数の発光素子38が基板39に実装され、この基板39が本体部27の配設部30に配設されている。基板39は器具本体20の照射開口33の形状に対応して横長に形成され、この基板39の縦横方向にそれぞれ所定の間隔をあけて複数の発光素子38が配列されている。
【００１７】
また、光学制御部22は、器具本体20の光出射部35から出射する発光部21の光を制御する。光学制御部22は、発光部21にそれぞれ対向して配設されて配光を制御する複数のレンズ42を備えている。複数のレンズ42は、一体に形成されたレンズユニット43で構成されている。なお、光学制御部22は、反射体等を備えていてもよい。
【００１８】
また、電源部23は、器具本体20の電源収容部31に収容され、商用交流電源等の外部電源を所定の直流電源に変換して発光部21に供給する。
【００１９】
また、取付アーム24は、器具本体20の器具幅方向ｗの両側に化粧ねじ46によってそれぞれ角度調整可能に連結されている。そして、器具本体20を支持した取付アーム24が看板12側に直接設置される。
【００２０】
そして、図１および図２に示すように、照明装置10は、取付アーム24によって看板12の上側に設置されるとともに、器具本体20の光出射部35が看板面12aに垂直な方向（または直下方向）に対して看板12側に向くように所定の角度α、例えば３０°傾斜した状態に角度調整されて設置される。
【００２１】
照明装置10の設置状態において、器具本体20の光出射部35（または発光部21）の中心から垂直な方向を光軸（仮想光軸または仮想中心軸）ａとする。光出射部35（または発光部21）での光軸ａの位置と看板12との距離Ｌは例えば３００ｍｍとなる。
【００２２】
そして、光学制御部22は、図２および図３に示すように、光出射部35に垂直な光軸ａ（図３の０°）を中心とした器具幅方向ｗの配光分布を、光軸ａを中心とした両側のそれぞれ５０〜８０°の範囲に光度ピークを有する配光分布に制御する。
【００２３】
さらに、光学制御部22は、図１および図４に示すように、光出射部35に垂直な光軸ａを中心とした器具縦方向ｈの配光分布を、光軸ａを中心とした片側（下側であってマイナス側）の０〜３０°の範囲に光度ピークを有する配光分布に制御する。なお、図４は、照明装置10の設置状態（３０°傾斜状態）での配光図を示しており、看板12に垂直な方向を０°とし、下側の６０〜９０°の範囲に光度ピークを有する配光分布となっている。
【００２４】
そして、照明装置10は、このような配光分布の光を看板12に照射する。
【００２５】
図５に照明装置10から光が照射された看板12の照度分布図を示す。さらに、図６に照明装置10の器具幅方向ｗにおける看板12の照度分布図を示し、図７に照明装置10の器具縦方向ｈにおける看板12の照度分布図を示す。図６において、横軸は光軸ａの位置を０とした器具幅方向ｗにおける距離であり、縦軸は照度値である。図７において、縦軸は光軸ａの位置を０とした器具縦方向ｈにおける距離であり、横軸は照度値である。
【００２６】
図５および図６に示すように、光出射部35に垂直な光軸ａ（図６の０位置）を中心とした器具幅方向ｗにおける看板12の照度分布においては、光軸ａを中心とした中央域に第１照度ピーク（主照度ピーク）P1を有するとともに、この第１照度ピークP1から離れた両側域に第１照度ピークP1よりも照度値の低い第２照度ピーク（副照度ピーク）P2を有する照度分布となる。
【００２７】
図５および図７に示すように、光出射部35に垂直な光軸ａ（図７の０位置）を中心とした器具縦方向ｈにおける看板12の照度分布においては、光軸ａの付近に照度ピークP3を有するとともに、この照度ピークP3から上側の照度領域よりも下側の照度領域の方が広い照度分布となる。なお、図７には、照度ピークP3から下側に離れた領域に照度ピークP3よりも照度値の低い照度ピークP4を有しているが、均斉度をよくするためには、この照度ピークP4は小さい、もしくは無いほうが好ましい。
【００２８】
そして、照明装置10は、看板12に近い位置に設置され、この看板12に光を照射するが、上述した配光分布の光を看板12に照射し、上述した看板12に照射される光の照度分布とすることにより、看板12の広い範囲を均斉度よく照明することができる。
【００２９】
すなわち、照明装置10は、光出射部35に垂直な光軸ａを中心とした器具幅方向ｗの配光分布を、光軸ａを中心とした両側のそれぞれ５０〜８０°の範囲に光度ピークを有する広い配光分布に制御するため、看板12に近い位置から光照射する場合でも、看板12の広い範囲を均斉度よく照明することができる。
【００３０】
さらに、照明装置10は、光出射部35に垂直な光軸ａを中心とした器具縦方向ｈの配光分布を、光軸ａを中心とした片側の０〜３０°の範囲に光度ピークを有する配光分布に制御するため、看板12に近い位置から光照射する場合でも、看板12の広い範囲を均斉度よく照明することができる。
【００３１】
しかも、照明装置10は、上述した配光分布の光を看板12に照射することにより、看板12の広い範囲に照度分布が得られ、看板12の広い範囲を均斉度よく照明することができる。
【００３２】
すなわち、光出射部35に垂直な光軸ａを中心とした器具幅方向ｗにおける看板12の照度分布においては、光軸ａを中心とした中央域に第１照度ピーク（主照度ピーク）P1を有するとともに、この第１照度ピークP1から離れた両側域に第１照度ピークP1よりも照度値の低い第２照度ピーク（副照度ピーク）P2を有する照度分布となり、看板12の広い範囲を均斉度よく照明することができる。
【００３３】
さらに、光出射部35に垂直な光軸ａを中心とした器具縦方向ｈにおける看板12の照度分布においては、光軸ａの付近に照度ピークP3を有するとともに、この照度ピークP3から上側の照度領域よりも下側の照度領域の方が広い照度分布となり、看板12の広い範囲を均斉度よく照明することができる。
【００３４】
そして、照明装置10は、看板12に近い位置から光照射する場合でも、看板12の広い範囲を均斉度よく照明することができるため、看板12の幅方向寸法が大きくても、照明装置10の設置台数を少なくできる。
【００３５】
なお、照明装置10の光出射部35は、前面カバー34に限らず、光学制御部22のレンズ等が器具本体20から露出される場合等には、光学制御部22自体でもよい。
【００３６】
また、光学制御部22による配光分布の制御は、レンズ42に限らず、反射体によって制御したり、レンズ42と反射体とを組み合わせて制御してもよく、さらには、一部の発光部21の向きを器具幅方向ｗに向けて斜めに設置する等によって制御してもよい。
【００３７】
また、照明装置10は、看板12の照明に限らず、建造物の壁面の照明などにも適用できる。
【００３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
10    照明装置
11    被照射面
20    器具本体
21    発光部
22    光学制御部
35    光出射部
ａ    光軸
ｈ    器具縦方向
P1    第１照度ピーク
P2    第２照度ピーク
ｗ    器具幅方向
【図１】
2018055982.tif 000003
【図２】
2018055982.tif 000004
【図３】
2018055982.tif 000005
【図４】
2018055982.tif 000006
【図５】
2018055982.tif 000007
【図６】
2018055982.tif 000008
【図７】
2018055982.tif 000009
【図８】
2018055982.tif 000010
【図９】
2018055982.tif 000011